(57)【要約】      （修正有）【課題】射出瞳位置が像面から十分に遠く、高い光学性能を有するズームレンズ、光学機器及びズームレンズの製造方法を提供する。【解決手段】物体側から順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有し、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔および第４レンズ群Ｇ４と第５レンズ群Ｇ５との間隔が変化するように、第１レンズ群Ｇ１、第２レンズ群Ｇ２、第３レンズ群Ｇ３、第４レンズ群Ｇ４および第５レンズ群Ｇ５を光軸に沿って移動させることにより、広角端状態から望遠端状態への変倍を行い、次の条件式(１)を満足する。２．３０＜ｆ５／ｄ４ｗ＜３．６０…(１)【選択図】図１
2016156940.tif 000002
【特許請求の範囲】
【請求項１】
光軸に沿って物体側から順に並んだ、正の屈折力を有する第１レンズ群と、負の屈折力
を有する第２レンズ群と、正の屈折力を有する第３レンズ群と、負の屈折力を有する第４
レンズ群と、正の屈折力を有する第５レンズ群とを有し、
前記第１レンズ群と前記第２レンズ群との間隔、前記第２レンズ群と前記第３レンズ群
との間隔、前記第３レンズ群と前記第４レンズ群との間隔、および前記第４レンズ群と前
記第５レンズ群との間隔が変化するように、前記第１レンズ群、前記第２レンズ群、前記
第３レンズ群、前記第４レンズ群、および前記第５レンズ群を光軸に沿って移動させるこ
とにより、広角端状態から望遠端状態への変倍を行い、
以下の条件式を満足することを特徴とするズームレンズ。
２．３０  ＜  ｆ５／ｄ４ｗ  ＜  ３．６０
但し、
ｆ５：前記第５レンズ群の焦点距離、
ｄ４ｗ：広角端状態における前記第４レンズ群と前記第５レンズ群との間隔。
【請求項２】
以下の条件式を満足することを特徴とする請求項１に記載のズームレンズ。
０．１１０＜ＴＬｔ×ｆ３／（ｆｔ×ｆｔ）＜０．１３４
但し、
ＴＬｔ：望遠端状態における全系の全長、
ｆ３：前記第３レンズ群の焦点距離、
ｆｔ：望遠端状態における全系の焦点距離。
【請求項３】
前記第４レンズ群を合焦レンズ群として像側に移動させることにより、無限遠から近距
離物体への合焦を行い、
以下の条件式を満足することを特徴とする請求項１又は２に記載のズームレンズ。
３２．９６  ＜  ｆｔ×ｆｔ／｛（−ｆ４）×ｄ３ｔ｝  ＜  ５９．２１
但し、
ｆｔ：望遠端状態における全系の焦点距離、
ｆ４：前記第４レンズ群の焦点距離、
ｄ３ｔ：望遠端状態における前記第３レンズ群と前記第４レンズ群との間隔。
【請求項４】
以下の条件式を満足することを特徴とする請求項１〜３のいずれか一項に記載のズーム
レンズ。
１．００°  ＜  ωｔ  ＜  ７.５０°
但し、
ωｔ：望遠端状態における半画角。
【請求項５】
以下の条件式を満足することを特徴とする請求項１〜４のいずれか一項に記載のズーム
レンズ。
３２．００°  ＜  ωｗ  ＜  ４７.００°
但し、
ωｗ：広角端状態における半画角。
【請求項６】
請求項１〜５のいずれか一項に記載のズームレンズを搭載することを特徴とする光学機
器。
【請求項７】
光軸に沿って物体側から順に並んだ、正の屈折力を有する第１レンズ群と、負の屈折力
を有する第２レンズ群と、正の屈折力を有する第３レンズ群と、負の屈折力を有する第４
レンズ群と、正の屈折力を有する第５レンズ群とを有するズームレンズの製造方法であっ
て、
前記第１レンズ群と前記第２レンズ群との間隔、前記第２レンズ群と前記第３レンズ群
との間隔、前記第３レンズ群と前記第４レンズ群との間隔、および前記第４レンズ群と前
記第５レンズ群との間隔が変化するように、前記第１レンズ群、前記第２レンズ群、前記
第３レンズ群、前記第４レンズ群、および前記第５レンズ群を光軸に沿って移動させるこ
とにより、広角端状態から望遠端状態への変倍を行い、
以下の条件式を満足するように、
レンズ鏡筒内に各レンズを配置することを特徴とするズームレンズの製造方法。
２．３０  ＜  ｆ５／ｄ４ｗ  ＜  ３．６０
但し、
ｆ５：前記第５レンズ群の焦点距離、
ｄ４ｗ：広角端状態における前記第４レンズ群と前記第５レンズ群との間隔。
【発明の詳細な説明】
【技術分野】
【０００１】
本発明は、ズームレンズ、光学機器及びズームレンズの製造方法に関する。
【背景技術】
【０００２】
従来、写真用カメラ、電子スチルカメラ、ビデオカメラ等に適用可能なズームレンズが
提案されている（例えば、特許文献１を参照）。
【先行技術文献】
【特許文献】
【０００３】
【特許文献１】特開２０１３−１４０３０７号公報
【発明の概要】
【発明が解決しようとする課題】
【０００４】
しかしながら、従来のズームレンズは、特に広角端状態で射出瞳が像面から近く、像面
における光のケラレ、いわゆるシェーディングを引き起こすおそれがあった。
【課題を解決するための手段】
【０００５】
このような課題を解決するため、本発明に係るズームレンズは、光軸に沿って物体側か
ら順に並んだ、正の屈折力を有する第１レンズ群と、負の屈折力を有する第２レンズ群と
、正の屈折力を有する第３レンズ群と、負の屈折力を有する第４レンズ群と、正の屈折力
を有する第５レンズ群とを有し、前記第１レンズ群と前記第２レンズ群との間隔、前記第
２レンズ群と前記第３レンズ群との間隔、前記第３レンズ群と前記第４レンズ群との間隔
、および前記第４レンズ群と前記第５レンズ群との間隔が変化するように、前記第１レン
ズ群、前記第２レンズ群、前記第３レンズ群、前記第４レンズ群、および前記第５レンズ
群を光軸に沿って移動させることにより、広角端状態から望遠端状態への変倍を行い、次
の条件式を満足する。
【０００６】
２．３０  ＜  ｆ５／ｄ４ｗ  ＜  ３．６０
但し、
ｆ５：前記第５レンズ群の焦点距離、
ｄ４ｗ：広角端状態における前記第４レンズ群と前記第５レンズ群との間隔。
【０００７】
本発明に係る光学機器は、上述のズームレンズを搭載する。
【０００８】
本発明に係るズームレンズの製造方法は、光軸に沿って物体側から順に並んだ、正の屈
折力を有する第１レンズ群と、負の屈折力を有する第２レンズ群と、正の屈折力を有する
第３レンズ群と、負の屈折力を有する第４レンズ群と、正の屈折力を有する第５レンズ群
とを有するズームレンズの製造方法であって、前記第１レンズ群と前記第２レンズ群との
間隔、前記第２レンズ群と前記第３レンズ群との間隔、前記第３レンズ群と前記第４レン
ズ群との間隔、および前記第４レンズ群と前記第５レンズ群との間隔が変化するように、
前記第１レンズ群、前記第２レンズ群、前記第３レンズ群、前記第４レンズ群、および前
記第５レンズ群を光軸に沿って移動させることにより、広角端状態から望遠端状態への変
倍を行い、次の条件式を満足するように、レンズ鏡筒内に各レンズを配置する。
【０００９】
２．３０  ＜  ｆ５／ｄ４ｗ  ＜  ３．６０
但し、
ｆ５：前記第５レンズ群の焦点距離、
ｄ４ｗ：広角端状態における前記第４レンズ群と前記第５レンズ群との間隔。
【図面の簡単な説明】
【００１０】
【図１】第１実施例に係るズームレンズの構成を示す断面図であり、（Ｗ）は広角端状態、（Ｍ）は中間焦点距離状態、（Ｔ）は望遠端状態における各群の位置を示す。
【図２】第１実施例に係るズームレンズの撮影距離無限遠の諸収差図であり、（ａ）は広角端状態、（ｂ）は中間焦点距離状態、（ｃ）は望遠端状態をそれぞれ示す。
【図３】第２実施例に係るズームレンズの構成を示す断面図であり、（Ｗ）は広角端状態、（Ｍ）は中間焦点距離状態、（Ｔ）は望遠端状態における各群の位置を示す。
【図４】第２実施例に係るズームレンズの撮影距離無限遠の諸収差図であり、（ａ）は広角端状態、（ｂ）は中間焦点距離状態、（ｃ）は望遠端状態をそれぞれ示す。
【図５】第３実施例に係るズームレンズの構成を示す断面図であり、（Ｗ）は広角端状態、（Ｍ）は中間焦点距離状態、（Ｔ）は望遠端状態における各群の位置を示す。
【図６】第３実施例に係るズームレンズの撮影距離無限遠の諸収差図であり、（ａ）は広角端状態、（ｂ）は中間焦点距離状態、（ｃ）は望遠端状態をそれぞれ示す。
【図７】第４実施例に係るズームレンズの構成を示す断面図であり、（Ｗ）は広角端状態、（Ｍ）は中間焦点距離状態、（Ｔ）は望遠端状態における各群の位置を示す。
【図８】第４実施例に係るズームレンズの撮影距離無限遠の諸収差図であり、（ａ）は広角端状態、（ｂ）は中間焦点距離状態、（ｃ）は望遠端状態をそれぞれ示す。
【図９】（ａ）はデジタルスチルカメラの正面図であり、（ｂ）はデジタルスチルカメラの背面図である。
【図１０】図９（ａ）中の矢印Ａ−Ａ´に沿った断面図である。
【図１１】本実施形態に係るズームレンズの製造方法を示すフローチャートである。
【発明を実施するための形態】
【００１１】
以下、実施形態について、図面を参照しながら説明する。本実施形態に係るズームレン
ズＺＬは、図１に示すように、光軸に沿って物体側から順に並んだ、正の屈折力を有する
第１レンズ群Ｇ１と、負の屈折力を有する第２レンズ群Ｇ２と、正の屈折力を有する第３
レンズ群Ｇ３と、負の屈折力を有する第４レンズ群Ｇ４と、正の屈折力を有する第５レン
ズ群Ｇ５とを有し、第１レンズ群Ｇ１と第２レンズ群Ｇ２との間隔、第２レンズ群Ｇ２と
第３レンズ群Ｇ３との間隔、第３レンズ群Ｇ３と第４レンズ群Ｇ４との間隔、および第４
レンズ群Ｇ４と第５レンズ群Ｇ５との間隔が変化するように、第１レンズ群Ｇ１、第２レ
ンズ群Ｇ２、第３レンズ群Ｇ３、第４レンズ群Ｇ４、および第５レンズ群Ｇ５を光軸に沿
って移動させることにより、広角端状態から望遠端状態への変倍を行い、次の条件式（１
）を満足する。
【００１２】
２．３０  ＜  ｆ５／ｄ４ｗ  ＜  ３．６０  …（１）
但し、
ｆ５：第５レンズ群Ｇ５の焦点距離、
ｄ４ｗ：広角端状態における第４レンズ群Ｇ４と第５レンズ群Ｇ５との間隔。
【００１３】
斯かる構成により、小型でありながら、射出瞳位置が像面から十分に遠く、なおかつ高
い光学性能を備えたズームレンズを実現することができる。
【００１４】
条件式（１）は、広角端状態における第４レンズ群Ｇ４と第５レンズ群Ｇ５との間隔に
対する、第５レンズ群Ｇ５の焦点距離を規定するものである。本実施形態のズームレンズ
ＺＬは、条件式（１）を満足することにより、広角端状態における射出瞳位置を像面から
十分遠くにすることができる。
【００１５】
条件式（１）の上限値を上回ると、広角端状態における射出瞳位置が像面に近くなり過
ぎてしまい、像面における光のケラレ、いわゆるシェーディングを引き起こしてしまうた
め、好ましくない。条件式（１）の対応値が上限状態で、広角端状態における射出瞳位置
を像面から十分遠くにすると、ズーム全域で像面湾曲がプラスに大きく発生する。
【００１６】
本実施形態の効果を確実なものとするために、条件式（１）の上限値を３．４０とする
ことが好ましい。
【００１７】
条件式（１）の下限値を下回ると、望遠端状態における射出瞳位置が像面に近くなり過
ぎてしまうため、好ましくない。条件式（１）の対応値が下限状態で、望遠端状態におけ
る射出瞳位置を像面から十分遠くにすると、ズーム全域で像面湾曲がマイナスに大きく発
生する。
【００１８】
本実施形態の効果を確実なものとするために、条件式（１）の下限値を２．５０とする
ことが好ましい。
【００１９】
本実施形態に係るズームレンズＺＬは、次の条件式（２）を満足することが好ましい。
【００２０】
０．１１０＜ＴＬｔ×ｆ３／（ｆｔ×ｆｔ）＜０．１３４  …（２）
但し、
ＴＬｔ：望遠端状態における全系の全長、
ｆ３：第３レンズ群Ｇ３の焦点距離、
ｆｔ：望遠端状態における全系の焦点距離。
【００２１】
条件式（２）は、望遠端状態における全系の全長と、第３レンズ群Ｇ３の焦点距離の関
係を規定するものである。本実施形態のズームレンズＺＬは、条件式（２）を満足するこ
とにより、望遠端状態における全系の全長を短くすることができる。
【００２２】
条件式（２）の上限値を上回ると、ズーム全域で球面収差がプラスに大きく発生するた
め、好ましくない。
【００２３】
本実施形態の効果を確実なものとするために、条件式（２）の上限値を０．１３０とす
ることが好ましい。
【００２４】
条件式（２）の下限値を下回ると、ズーム全域で球面収差がマイナスに大きく発生する
ため、好ましくない。
【００２５】
本実施形態の効果を確実なものとするために、条件式（２）の下限値を０．１２０とす
ることが好ましい。
【００２６】
本実施形態に係るズームレンズＺＬは、前記第４レンズ群を合焦レンズ群として像側に
移動させることにより、無限遠から近距離物体への合焦を行い、次の条件式（３）を満足
することが好ましい。
【００２７】
３２．９６  ＜  ｆｔ×ｆｔ／｛（−ｆ４）×ｄ３ｔ｝  ＜  ５９．２１  …（３）
但し、
ｆｔ：望遠端状態における全系の焦点距離、
ｆ４：第４レンズ群Ｇ４の焦点距離、
ｄ３ｔ：望遠端状態における第３レンズ群Ｇ３と第４レンズ群Ｇ４との間隔。
【００２８】
条件式（３）は、第４レンズ群Ｇ４の焦点距離と、望遠端状態における第３レンズ群Ｇ
３と第４レンズ群Ｇ４との間隔を規定するものである。本実施形態のズームレンズＺＬは
、条件式（３）を満足することにより、第４レンズ群Ｇ４の像面移動係数（合焦レンズ群
の移動量に対する像面の移動量の比率）を適切に設定することができる。
【００２９】
条件式（３）の上限値を上回ると、第４レンズ群Ｇ４で球面収差がプラスに大きく発生
するため、好ましくない。
【００３０】
本実施形態の効果を確実なものとするために、条件式（３）の上限値を５０．００とす
ることが好ましい。
【００３１】
条件式（３）の下限値を下回ると、合焦に際して第４レンズ群Ｇ４の移動量が大きくな
り、ズームレンズ全長が大きくなるため、好ましくない。
【００３２】
本実施形態の効果を確実なものとするために、条件式（３）の下限値を３０．００とす
ることが好ましい。
【００３３】
本実施形態に係るズームレンズＺＬは、次の条件式（４）を満足することが好ましい。
【００３４】
１．００°  ＜  ωｔ  ＜  ７.５０°  …（４）
但し、
ωｔ：望遠端状態における半画角。
【００３５】
条件式（４）は、望遠端状態における画角の最適な値を規定する条件である。この条件
式（４）を満足することにより、コマ収差、歪曲収差、像面湾曲等の諸収差を良好に補正
することができる。
【００３６】
本実施形態の効果を確実なものとするために、条件式（４）の上限値を７．００°とす
ることが好ましい。本実施形態の効果をより確実なものとするために、条件式（４）の上
限値を６．００°とすることが好ましい。
【００３７】
本実施形態の効果を確実なものとするために、条件式（４）の下限値を２．００°とす
ることが好ましい。
【００３８】
本実施形態に係るズームレンズＺＬは、次の条件式（５）を満足することが好ましい。
【００３９】
３２．００°  ＜  ωｗ  ＜  ４７.００°  …（５）
但し、
ωｗ：広角端状態における半画角。
【００４０】
条件式（５）は、広角端状態における画角の最適な値を規定する条件である。この条件
式（５）を満足することにより、広い画角を有しつつ、コマ収差、歪曲収差、像面湾曲等
の諸収差を良好に補正することができる。
【００４１】
本実施形態の効果を確実なものとするために、条件式（５）の上限値を４５．００°と
することが好ましい。
【００４２】
本実施形態の効果を確実なものとするために、条件式（５）の下限値を３３．００°と
することが好ましい。本実施形態の効果をより確実なものとするために、条件式（５）の
下限値を３４．００°とすることが好ましい。
【００４３】
以上のような構成を備える本実施形態に係るズームレンズＺＬによれば、小型でありな
がら、射出瞳位置が像面から十分に遠く、高い光学性能を有するズームレンズを実現する
ことができる。
【００４４】
図９及び図１０に、上述のズームレンズＺＬを備える光学機器として、デジタルスチル
カメラＣＡＭ（光学機器）の構成を示す。このデジタルスチルカメラＣＡＭは、不図示の
電源釦を押すと、撮影レンズ（ズームレンズＺＬ）の不図示のシャッタが開放されて、ズ
ームレンズＺＬで被写体（物体）からの光が集光され、像面Ｉ（図１参照）に配置された
撮像素子Ｃ（例えば、ＣＣＤやＣＭＯＳ等）に結像される。撮像素子Ｃに結像された被写
体像は、デジタルスチルカメラＣＡＭの背後に配置された液晶モニターＭに表示される。
撮影者は、液晶モニターＭを見ながら被写体像の構図を決めた後、レリーズ釦Ｂ１を押し
下げて被写体像を撮像素子Ｃで撮影し、不図示のメモリーに記録保存する。このようにし
て、撮影者はカメラＣＡＭによる被写体の撮影を行うことができる。
【００４５】
カメラＣＡＭには、被写体が暗い場合に補助光を発光する補助光発光部ＥＦ、デジタル
スチルカメラＣＡＭの種々の条件設定等に使用するファンクションボタンＢ２等も配置さ
れている。
【００４６】
ここでは、カメラＣＡＭとズームレンズＺＬとが一体に成形されたコンパクトタイプの
カメラを例示したが、光学機器としては、ズームレンズＺＬを有するレンズ鏡筒とカメラ
ボディ本体とが着脱可能な一眼レフカメラでも良い。
【００４７】
以上のような構成を備える本実施形態に係るカメラＣＡＭによれば、撮影レンズとして
上述のズームレンズＺＬを搭載することにより、小型でありながら、射出瞳位置が像面か
ら十分に遠く、高い光学性能を有するカメラを実現することができる。
【００４８】
続いて、図１１を参照しながら、上述のズームレンズＺＬの製造方法について説明する
。まず、鏡筒内に、光軸に沿って物体側より順に並んだ、正の屈折力を有する第１レンズ
群Ｇ１と、負の屈折力を有する第２レンズ群Ｇ２と、正の屈折力を有する第３レンズ群Ｇ
３と、負の屈折力を有する第４レンズ群Ｇ４と、正の屈折力を有する第５レンズ群Ｇ５と
を有するように、各レンズを配置する（ステップＳＴ１０）。第１レンズ群Ｇ１と第２レ
ンズ群Ｇ２との間隔、第２レンズ群Ｇ２と第３レンズ群Ｇ３との間隔、第３レンズ群Ｇ３
と第４レンズ群Ｇ４との間隔、および第４レンズ群Ｇ４と第５レンズ群Ｇ５との間隔が変
化するように、第１レンズ群Ｇ１、第２レンズ群Ｇ２、第３レンズ群Ｇ３、第４レンズ群
Ｇ４、および第５レンズ群Ｇ５を光軸に沿って移動させることにより、広角端状態から望
遠端状態への変倍を行うように、各レンズを配置する（ステップＳＴ２０）。次の条件式
（１）を満足するように、各レンズを配置する（ステップＳＴ３０）
【００４９】
２．３０  ＜  ｆ５／ｄ４ｗ  ＜  ３．６０  …（１）
但し、
ｆ５：第５レンズ群Ｇ５の焦点距離、
ｄ４ｗ：広角端状態における第４レンズ群Ｇ４と第５レンズ群Ｇ５との間隔。
【００５０】
本実施形態におけるレンズ配置の一例を挙げると、図１に示すように、光軸に沿って物
体側から順に、像側に凹面を向けた負メニスカスレンズＬ１１と両凸レンズＬ１２との接
合レンズと、物体側に凸面を向けた正メニスカスレンズＬ１３とを配置して第１レンズ群
Ｇ１とし、像側に凹面を向けた負メニスカスレンズＬ２１と、両凹レンズＬ２２と、両凸
レンズＬ２３とを配置して第２レンズ群Ｇ２とし、両凸レンズＬ３１と、物体側に凸面を
向けた正メニスカスレンズＬ３２と像側に凹面を向けた負メニスカスレンズＬ３３との接
合レンズと、両凸レンズＬ３４とを配置して第３レンズ群Ｇ３とし、像側に凹面を向けた
負メニスカスレンズＬ４１を配置して第４レンズ群Ｇ４とし、両凸レンズＬ５１を配置し
て第５レンズ群Ｇ５とする。このように準備した各レンズ群を、上述の手順で配置してズ
ームレンズＺＬを製造する。
【００５１】
以上のような本実施形態に係る製造方法によれば、小型でありながら、射出瞳位置が像
面から十分に遠く、高い光学性能を有するズームレンズＺＬを製造することができる。
【実施例】
【００５２】
これより本実施形態に係る各実施例について、図面に基づいて説明する。図１、図３、
図５、図７は、各実施例に係るズームレンズＺＬ（ＺＬ１〜ＺＬ４）の構成及び屈折力配
分を示す断面図である。各断面図には、広角端状態（Ｗ）から中間焦点距離状態（Ｍ）を
経て望遠端状態（Ｔ）に変倍する際の、各レンズ群の位置が記載されている。
【００５３】
なお、第１実施例に係る図１に対する各参照符号は、参照符号の桁数の増大による説明
の煩雑化を避けるため、実施例ごとに独立して用いている。ゆえに、他の実施例に係る図
面と共通の参照符号を付していても、それらは他の実施例とは必ずしも共通の構成ではな
い。
【００５４】
また、以下に表１〜表４を示すが、これらは第１実施例〜第４実施例における各諸元の
表である。
【００５５】
各実施例では収差特性の算出対象として、ｄ線（波長587.6nm）、ｇ線（波長435.8nm）
を選んでいる。
【００５６】
表中の［レンズ諸元］において、面番号は光線の進行する方向に沿った物体側からの光
学面の順序、Ｒは各光学面の曲率半径、Ｄは各光学面から次の光学面（又は像面）までの
光軸上の距離である面間隔、νｄは光学部材の材質のｄ線を基準とするアッベ数、ｎｄは
光学部材の材質のｄ線に対する屈折率を示す。また、Ｄｉは第ｉ面と第（ｉ＋１）面との
面間隔、曲率半径の「0.0000」は開口又は平面、（絞りＳ）は開口絞りＳ、Ｂｆはバック
フォーカス（光軸上でのレンズ最終面から近軸像面までの距離）を示す。空気の屈折率「
1.000000」は省略する。光学面が非球面である場合には、面番号に＊印を付し、曲率半径
Ｒの欄には近軸曲率半径を示す。
【００５７】
表中の［非球面データ］には、［レンズ諸元］に示した非球面について、その形状を次
式（ａ）で示す。Ｘ（ｙ）は非球面の頂点における接平面から高さｙにおける非球面上の
位置までの光軸方向に沿った距離を、Ｒは基準球面の曲率半径（近軸曲率半径）を、κは
円錐定数を、Ａｉは第ｉ次の非球面係数を示す。「Ｅ-n」は、「×１０-n」を示す。例え
ば、1.234E-05＝1.234×10-5である。なお、２次の非球面係数Ａ2は０であり、記載を省
略する。
【００５８】
Ｘ（ｙ）＝（ｙ2／Ｒ）／｛１＋（１−κ×ｙ2／Ｒ2）1/2｝＋Ａ4×ｙ4＋Ａ6×ｙ6＋Ａ
8×ｙ8  …（ａ）
【００５９】
表中の［各種データ］には、撮影距離無限遠の広角端、中間焦点距離、望遠端の各状態
におけるデータを示す。なお、ｆはレンズ全系の焦点距離、ＦＮＯはＦナンバー、ωは半
画角（単位：°）、Ｄｉは第ｉ面と第（ｉ＋１）面の面間隔、Ｂｆは光軸上でのレンズ最
終面から近軸像面までの距離、ＴＬはレンズ全長（光軸上でのレンズ最前面からレンズ最
終面までの距離にＢｆを加えたもの）を示す。また、射出瞳位置（像面からの距離）と、
撮影距離無限遠における第４レンズ群Ｇ４の像面移動係数の値も示す。
【００６０】
表中の［レンズ群データ］において、各レンズ群の始面と焦点距離を示す。
【００６１】
表中の［条件式対応値］には、上記の条件式（１）〜（５）に対応する値を示す。
【００６２】
以下、全ての諸元値において、掲載されている焦点距離ｆ、曲率半径Ｒ、面間隔Ｄ、そ
の他の長さ等は、特記のない場合一般に「mm」が使われるが、光学系は比例拡大又は比例
縮小しても同等の光学性能が得られるので、これに限られるものではない。また、単位は
「mm」に限定されることなく、他の適当な単位を用いることが可能である。
【００６３】
ここまでの表の説明は全ての実施例において共通であり、以下での説明を省略する。
【００６４】
（第１実施例）
第１実施例について、図１、図２及び表１を用いて説明する。第１実施例に係るズーム
レンズＺＬ（ＺＬ１）は、図１に示すように、光軸に沿って物体側から順に並んだ、正の
屈折力を有する第１レンズ群Ｇ１と、負の屈折力を有する第２レンズ群Ｇ２と、正の屈折
力を有する第３レンズ群Ｇ３と、負の屈折力を有する第４レンズ群Ｇ４と、正の屈折力を
有する第５レンズ群Ｇ５とから構成される。
【００６５】
第１レンズ群Ｇ１は、光軸に沿って物体側から順に並んだ、像側に凹面を向けた負メニ
スカスレンズＬ１１と両凸レンズＬ１２との接合レンズと、物体側に凸面を向けた正メニ
スカスレンズＬ１３とから構成される。
【００６６】
第２レンズ群Ｇ２は、光軸に沿って物体側から順に並んだ、像側に凹面を向けた負メニ
スカスレンズＬ２１と、両凹レンズＬ２２と、両凸レンズＬ２３とから構成される。負メ
ニスカスレンズＬ２１の像側面は、非球面である。
【００６７】
第３レンズ群Ｇ３は、光軸に沿って物体側から順に並んだ、両凸レンズＬ３１と、物体
側に凸面を向けた正メニスカスレンズＬ３２と像側に凹面を向けた負メニスカスレンズＬ
３３との接合レンズと、両凸レンズＬ３４とから構成される。両凸レンズＬ３１の両側面
は、非球面である。
【００６８】
第４レンズ群Ｇ４は、像側に凹面を向けた負メニスカスレンズＬ４１から構成される。
負メニスカスレンズＬ４１の像側面は、非球面である。
【００６９】
第５レンズ群Ｇ５は、両凸レンズＬ５１から構成される。両凸レンズＬ５１の物体側面
は、非球面である。
【００７０】
第３レンズ群Ｇ３の物体側には、光量を調節することを目的とした開口絞りＳが設けら
れている。
【００７１】
第５レンズ群Ｇ５の像側には、フィルタＦＬが設けられている。フィルタＦＬは、像面
Ｉに配設されるＣＣＤ等、固体撮像素子の限界解像以上の空間周波数をカットするための
ローパスフィルタや赤外カットフィルタ等で構成されている。
【００７２】
本実施例に係るズームレンズＺＬ１は、各レンズ群の間隔を変化させることにより変倍
を行う。具体的には、広角端状態から望遠端状態への変倍に際して、第１レンズ群Ｇ１を
物体側へ移動させ、第２レンズ群Ｇ２を像側へ移動させ、第３レンズ群Ｇ３を物体側へ移
動させ、第４レンズ群Ｇ４を物体側へ移動させ、第５レンズ群Ｇ５を像側へ移動させる。
開口絞りＳは、第３レンズ群Ｇ３と一体的に、物体側へ移動させる。
【００７３】
下記の表１に、第１実施例における各諸元の値を示す。表１における面番号１〜２７が
、図１に示すｍ１〜ｍ２７の各光学面に対応している。
【００７４】
（表１）
［レンズ諸元］
面番号      Ｒ          Ｄ        νｄ         ｎｄ
1      80.5818      2.0000      33.34      1.806100
2      35.3732      5.8000      81.73      1.497000
3    -310.9288      0.2000
4      32.6650      3.8000      65.44      1.603000
5     172.0246      (D5=可変)
6     395.3632      1.2000      47.18      1.773770
＊7       8.8758      4.1783
8     -14.9127      1.0000      47.35      1.788000
9      84.6771      0.2000
10     29.3689      2.4000      17.98      1.945950
11    -97.0100    （D11=可変）
12      0.0000      1.0000      (開口絞りＳ)
＊13     10.6750      3.4000      63.86      1.618810
＊14    -37.8678      0.2000
15     14.7458      2.7000      61.22      1.589130
16    247.2379      0.8000      31.27      1.903660
17      8.2544      0.7000
18     14.1122      2.5000      63.34      1.618000
19    -48.5262      (D19=可変)
20     93.6140      0.7000      81.49      1.497100
＊21     13.9237      (D21=可変)
＊22     47.3733      3.6000      63.86      1.618810
23    -28.0497      (D23=可変)
24      0.0000      0.4700      63.88      1.516800
25      0.0000      0.1500
26      0.0000      0.7000      63.88      1.516800
27      0.0000      (Bf)
［非球面データ］
第７面
κ =   1.2984
A4 =  -6.14616E-05
A6 =  -8.09197E-07
A8 =   0.00000E+00
第１３面
κ =   0.3130
A4 =  -1.02252E-05
A6 =   2.40979E-07
A8 =  -1.38343E-09
第１４面
κ =   1.0000
A4 =   5.84552E-05
A6 =  -3.91089E-08
A8 =   0.00000E+00
第２１面
κ =   1.0000
A4 =   2.76226E-05
A6 =  -3.81969E-07
A8 =   0.00000E+00
第２２面
κ =   1.0000
A4 =  -4.54093E-05
A6 =   2.41061E-07
A8 =   0.00000E+00
［各種データ］
変倍比  11.90
広角          中間          望遠
f              9.05000      31.22000     107.62999
FNO            2.83          4.79          5.63
ω            42.25         13.99          4.16
D5             0.99990      16.26217      33.03140
D11           20.95447       7.95083       0.99914
D19            1.00045       6.84062       6.00045
D21           11.50000      17.92550      24.98447
D23            4.36297       2.40885       1.00573
Bf             1.28000       1.28000       1.28000
TL            77.79608      90.36626     104.99947
射出瞳位置     -72.66071    1357.75462     140.36196
G4像面移動係数  -1.03009      -1.44686      -2.04673
(無限遠合焦時)
［レンズ群データ］
群番号    群初面    群焦点距離
Ｇ１        １       56.14511
Ｇ２        ６       -9.37374
Ｇ３        13       14.04617
Ｇ４        20      -33.00000
Ｇ５        22       29.00000
［条件式対応値］
条件式（１）  ｆ５／ｄ４ｗ  ＝  2.522
条件式（２）  ＴＬｔ×ｆ３／（ｆｔ×ｆｔ）  ＝  0.127
条件式（３）  ｆｔ×ｆｔ／｛（−ｆ４）×ｄ３ｔ｝  ＝  58.502
条件式（４）  ωｔ  ＝  4.16
条件式（５）  ωｗ  ＝  42.25
【００７５】
表１から、第１実施例に係るズームレンズＺＬ１は、条件式（１）〜（５）を満足する
ことが分かる。
【００７６】
図２は、第１実施例に係るズームレンズＺＬ１の撮影距離無限遠の諸収差図（球面収差
図、非点収差図、歪曲収差図、コマ収差図及び倍率色収差図）であり、（ａ）は広角端状
態、（ｂ）は中間焦点距離状態、（ｃ）は望遠端状態をそれぞれ示す。
【００７７】
各収差図において、ＦＮＯはＦナンバー、Ａは各像高に対する半画角（単位：°）、ｄ
はｄ線、ｇはｇ線における収差を示す。また、これらの記載がないものは、ｄ線における
収差を示す。非点収差図において、実線はサジタル像面、破線はメリディオナル像面を示
す。倍率色収差図は、ｄ線を基準として示している。なお、後述する各実施例の収差図に
おいても、本実施例と同様の符号を用いる。
【００７８】
図２に示す各収差図から明らかなように、第１実施例に係るズームレンズＺＬ１は、広
角端状態から望遠端状態に亘って諸収差が良好に補正され、優れた結像性能を有すること
が分かる。
【００７９】
（第２実施例）
第２実施例について、図３、図４及び表２を用いて説明する。第２実施例に係るズーム
レンズＺＬ（ＺＬ２）は、図３に示すように、光軸に沿って物体側から順に並んだ、正の
屈折力を有する第１レンズ群Ｇ１と、負の屈折力を有する第２レンズ群Ｇ２と、正の屈折
力を有する第３レンズ群Ｇ３と、負の屈折力を有する第４レンズ群Ｇ４と、正の屈折力を
有する第５レンズ群Ｇ５とから構成される。
【００８０】
第１レンズ群Ｇ１は、光軸に沿って物体側から順に並んだ、像側に凹面を向けた負メニ
スカスレンズＬ１１と両凸レンズＬ１２との接合レンズと、物体側に凸面を向けた正メニ
スカスレンズＬ１３とから構成される。
【００８１】
第２レンズ群Ｇ２は、光軸に沿って物体側から順に並んだ、両凹レンズＬ２１と、両凹
レンズＬ２２と、物体側に凸面を向けた正メニスカスレンズＬ２３とから構成される。両
凹レンズＬ２１の像側面は、非球面である。
【００８２】
第３レンズ群Ｇ３は、光軸に沿って物体側から順に並んだ、両凸レンズＬ３１と、両凸
レンズＬ３２と両凹レンズＬ３３との接合レンズと、両凸レンズＬ３４とから構成される
。両凸レンズＬ３１の両側面は、非球面である。
【００８３】
第４レンズ群Ｇ４は、像側に凹面を向けた負メニスカスレンズＬ４１から構成される。
負メニスカスレンズＬ４１の像側面は、非球面である。
【００８４】
第５レンズ群Ｇ５は、光軸に沿って物体側から順に並んだ、両凸レンズＬ５１と、両凹
レンズＬ５２とから構成される。両凸レンズＬ５１の物体側面は、非球面である。
【００８５】
第３レンズ群Ｇ３の物体側には、光量を調節することを目的とした開口絞りＳが設けら
れている。
【００８６】
第５レンズ群Ｇ５の像側には、フィルタＦＬが設けられている。フィルタＦＬは、像面
Ｉに配設されるＣＣＤ等、固体撮像素子の限界解像以上の空間周波数をカットするための
ローパスフィルタや赤外カットフィルタ等で構成されている。
【００８７】
本実施例に係るズームレンズＺＬ２は、各レンズ群の間隔を変化させることにより変倍
を行う。具体的には、広角端状態から望遠端状態への変倍に際して、第１レンズ群Ｇ１を
物体側へ移動させ、第２レンズ群Ｇ２を像側へ移動させ、第３レンズ群Ｇ３を物体側へ移
動させ、第４レンズ群Ｇ４を物体側へ移動させ、第５レンズ群Ｇ５を像側へ移動させる。
開口絞りＳは、第３レンズ群Ｇ３と一体的に、物体側へ移動させる。
【００８８】
下記の表２に、第２実施例における各諸元の値を示す。表２における面番号１〜２９が
、図３に示すｍ１〜ｍ２９の各光学面に対応している。
【００８９】
（表２）
［レンズ諸元］
面番号      Ｒ          Ｄ        νｄ         ｎｄ
1      76.2344      2.0000      32.35      1.850260
2      35.7754      5.8000      81.73      1.497000
3    -251.4384      0.2000
4      32.4653      4.2000      63.34      1.618000
5     162.8377      （D5=可変）
6    -498.3647      1.2000      42.71      1.820800
＊7       8.9882      3.8302
8     -14.5008      1.0000      63.34      1.618000
9      40.7175      0.2000
10     23.0595      2.4000      17.98      1.945950
11    371.2358      （D11=可変）
12      0.0000      1.0000      (開口絞りＳ)
＊13     10.7088      3.4000      63.86      1.618810
＊14    -32.1510      0.2000
15     22.6681      2.7000      81.73      1.497000
16   -286.2185      0.8000      35.73      1.902650
17      8.8334      0.5000
18     10.4942      3.0000      70.31      1.487490
19    -17.3199      (D19=可変)
20     80.0181      0.7000      81.49      1.497100
＊21     13.1218      (D21=可変)
＊22     36.0879      4.0000      55.48      1.696800
23    -17.6361      0.2000
24    -73.2519      0.7000      25.64      1.784720
25     53.4182      (D25=可変)
26      0.0000      0.4700      63.88      1.516800
27      0.0000      0.1500
28      0.0000      0.7000      63.88      1.516800
29      0.0000      (Bf)
［非球面データ］
第７面
κ =   1.2687
A4 =  -5.90233E-05
A6 =  -7.28217E-07
A8 =   0.00000E+00
第１３面
κ =   1.6811
A4 =  -1.43502E-04
A6 =  -4.95404E-07
A8 =  -1.90765E-08
第１４面
κ =   1.0000
A4 =   1.11413E-04
A6 =   9.30435E-08
A8 =   0.00000E+00
第２１面
κ =   1.0000
A4 =   1.75131E-05
A6 =   6.80438E-07
A8 =   0.00000E+00
第２２面
κ =   1.0000
A4 =  -8.71678E-05
A6 =   8.78795E-08
A8 =   0.00000E+00
［各種データ］
変倍比  11.90
広角          中間          望遠
f              9.05000      31.22000     107.62999
FNO            2.84          4.34          5.05
ω            42.13         13.73          4.16
D5             0.99994      18.84504      32.91964
D11           19.61599       8.15978       1.22688
D19            1.50025       7.72395       6.80025
D21           11.90013      15.39404      22.42393
D25            4.52290       2.74031       0.99909
Bf             1.28000       1.28000       1.28000
TL            79.16940      93.49332     104.99999
射出瞳位置     -76.83374    -305.41689     255.51496
G4像面移動係数  -1.09833      -1.30211      -1.84275
(無限遠合焦時)
［レンズ群データ］
群番号    群初面    群焦点距離
Ｇ１        １       53.99261
Ｇ２        ６       -8.61000
Ｇ３        13       14.19468
Ｇ４        20      -31.68441
Ｇ５        22       30.00000
［条件式対応値］
条件式（１）  ｆ５／ｄ４ｗ  ＝  2.521
条件式（２）  ＴＬｔ×ｆ３／（ｆｔ×ｆｔ）  ＝  0.129
条件式（３）  ｆｔ×ｆｔ／｛（−ｆ４）×ｄ３ｔ｝  ＝  53.765
条件式（４）  ωｔ  ＝  4.16
条件式（５）  ωｗ  ＝  42.13
【００９０】
表２から、第２実施例に係るズームレンズＺＬ２は、条件式（１）〜（５）を満足する
ことが分かる。
【００９１】
図４は、第２実施例に係るズームレンズＺＬ２の撮影距離無限遠の諸収差図（球面収差
図、非点収差図、歪曲収差図、コマ収差図及び倍率色収差図）であり、（ａ）は広角端状
態、（ｂ）は中間焦点距離状態、（ｃ）は望遠端状態をそれぞれ示す。
【００９２】
図４に示す各収差図から明らかなように、第２実施例に係るズームレンズＺＬ２は、広
角端状態から望遠端状態に亘って諸収差が良好に補正され、優れた結像性能を有すること
が分かる。
【００９３】
（第３実施例）
第３実施例について、図５、図６及び表３を用いて説明する。第３実施例に係るズーム
レンズＺＬ（ＺＬ３）は、図５に示すように、光軸に沿って物体側から順に並んだ、正の
屈折力を有する第１レンズ群Ｇ１と、負の屈折力を有する第２レンズ群Ｇ２と、正の屈折
力を有する第３レンズ群Ｇ３と、負の屈折力を有する第４レンズ群Ｇ４と、正の屈折力を
有する第５レンズ群Ｇ５とから構成される。
【００９４】
第１レンズ群Ｇ１は、光軸に沿って物体側から順に並んだ、像側に凹面を向けた負メニ
スカスレンズＬ１１と両凸レンズＬ１２との接合レンズと、物体側に凸面を向けた正メニ
スカスレンズＬ１３とから構成される。
【００９５】
第２レンズ群Ｇ２は、光軸に沿って物体側から順に並んだ、像側に凹面を向けた負メニ
スカスレンズＬ２１と、両凹レンズＬ２２と、物体側に凸面を向けた正メニスカスレンズ
Ｌ２３とから構成される。負メニスカスレンズＬ２１の像側面は、非球面である。
【００９６】
第３レンズ群Ｇ３は、光軸に沿って物体側から順に並んだ、両凸レンズＬ３１と、両凸
レンズＬ３２と両凹レンズＬ３３との接合レンズと、両凸レンズＬ３４とから構成される
。両凸レンズＬ３１の両側面は、非球面である。
【００９７】
第４レンズ群Ｇ４は、像側に凹面を向けた負メニスカスレンズＬ４１から構成される。
負メニスカスレンズＬ４１の像側面は、非球面である。
【００９８】
第５レンズ群Ｇ５は、光軸に沿って物体側から順に並んだ、物体側に凹面を向けた負メ
ニスカスレンズＬ５１と、像側に凸面を向けた正メニスカスレンズＬ５２とから構成され
る。負メニスカスレンズＬ５１の物体側面は、非球面である。
【００９９】
第３レンズ群Ｇ３の物体側には、光量を調節することを目的とした開口絞りＳが設けら
れている。
【０１００】
第５レンズ群Ｇ５の像側には、フィルタＦＬが設けられている。フィルタＦＬは、像面
Ｉに配設されるＣＣＤ等、固体撮像素子の限界解像以上の空間周波数をカットするための
ローパスフィルタや赤外カットフィルタ等で構成されている。
【０１０１】
本実施例に係るズームレンズＺＬ３は、各レンズ群の間隔を変化させることにより変倍
を行う。具体的には、広角端状態から望遠端状態への変倍に際して、第１レンズ群Ｇ１を
物体側へ移動させ、第２レンズ群Ｇ２を像側へ移動させ、第３レンズ群Ｇ３を物体側へ移
動させ、第４レンズ群Ｇ４を一旦物体側に移動させ、その後像側へ移動させ、第５レンズ
群Ｇ５を像側へ移動させる。開口絞りＳは、第３レンズ群Ｇ３と一体的に、物体側へ移動
させる。
【０１０２】
下記の表３に、第３実施例における各諸元の値を示す。表３における面番号１〜２９が
、図５に示すｍ１〜ｍ２９の各光学面に対応している。
【０１０３】
（表３）
［レンズ諸元］
面番号      Ｒ          Ｄ        νｄ         ｎｄ
1     103.1998      2.0000      32.35      1.850260
2      42.2142      5.8000      81.73      1.497000
3    -144.7935      0.2000
4      35.2068      3.8000      65.44      1.603000
5     156.5989      (D5=可変)
6    8344.1451      1.2000      42.71      1.820800
＊7       9.9754      3.8697
8     -14.8375      1.0000      63.34      1.618000
9      34.6118      0.2000
10     24.3454      2.4000      17.98      1.945950
11   3333.2226      (D11=可変)
12      0.0000      1.0000
＊13     11.0527      3.2000      63.86      1.618810
＊14    -41.7350      0.2000
15     15.7222      2.7000      81.73      1.497000
16  -1000.0000      0.8000      35.25      1.910820
17      8.9784      0.5000
18     11.4409      2.8000      70.31      1.487490
19    -17.8506      (D19=可変)
20     39.0430      0.7000      81.49      1.497100
＊21     10.7269      (D21=可変)
＊22    -14.9604      0.7000      24.06      1.821150
23    -21.9912      0.2000
24   -206.5968      3.8000      52.34      1.755000
25    -14.6758      (D25=可変)
26      0.0000      0.4700      63.88      1.516800
27      0.0000      0.1500
28      0.0000      0.7000      63.88      1.516800
29      0.0000      (Bf)
［非球面データ］
第７面
κ =   1.4093
A4 =  -5.27382E-05
A6 =  -7.28271E-07
A8 =   0.00000E+00
第１３面
κ =   0.4203
A4 =  -7.50100E-06
A6 =   3.99816E-07
A8 =   1.35754E-09
第１４面
κ =   1.0000
A4 =   9.24271E-05
A6 =   9.04859E-08
A8 =   0.00000E+00
第２１面
κ =   1.0000
A4 =   3.92026E-05
A6 =  -2.03642E-07
A8 =   0.00000E+00
第２２面
κ =   1.0000
A4 =   6.47188E-05
A6 =   0.00000E+00
A8 =   0.00000E+00
［各種データ］
変倍比  11.90
広角          中間          望遠
f              9.05000      31.22000     107.63000
FNO            2.85          4.41          5.05
ω            42.13         14.06          4.16
D5             0.99975      18.25533      35.86199
D11           20.19099       8.81696       0.97403
D19            1.51084       6.17130       9.31125
D21            8.20011      17.35028      18.17086
D25            7.76782       3.56874       0.99666
Bf             1.28000       1.28000       1.28000
TL            78.33927      93.83236     104.98453
射出瞳位置     -76.93680     323.54769     198.91556
G4像面移動係数  -1.14189      -1.87267      -2.02072
(無限遠合焦時)
［レンズ群データ］
群番号    群初面    群焦点距離
Ｇ１        １       59.93130
Ｇ２        ６       -9.36319
Ｇ３        13       13.93321
Ｇ４        20      -30.00000
Ｇ５        22       29.00000
［条件式対応値］
条件式（１）  ｆ５／ｄ４ｗ  ＝  3.537
条件式（２）  ＴＬｔ×ｆ３／（ｆｔ×ｆｔ）  ＝  0.126
条件式（３）  ｆｔ×ｆｔ／｛（−ｆ４）×ｄ３ｔ｝  ＝  41.517
条件式（４）  ωｔ  ＝  4.16
条件式（５）  ωｗ  ＝  42.13
【０１０４】
表３から、第３実施例に係るズームレンズＺＬ３は、条件式（１）〜（５）を満足する
ことが分かる。
【０１０５】
図６は、第３実施例に係るズームレンズＺＬ３の撮影距離無限遠の諸収差図（球面収差
図、非点収差図、歪曲収差図、コマ収差図及び倍率色収差図）であり、（ａ）は広角端状
態、（ｂ）は中間焦点距離状態、（ｃ）は望遠端状態をそれぞれ示す。
【０１０６】
図６に示す各収差図から明らかなように、第３実施例に係るズームレンズＺＬ３は、広
角端状態から望遠端状態に亘って諸収差が良好に補正され、優れた結像性能を有すること
が分かる。
【０１０７】
（第４実施例）
第４実施例について、図７、図８及び表４を用いて説明する。第４実施例に係るズーム
レンズＺＬ（ＺＬ４）は、図７に示すように、光軸に沿って物体側から順に並んだ、正の
屈折力を有する第１レンズ群Ｇ１と、負の屈折力を有する第２レンズ群Ｇ２と、正の屈折
力を有する第３レンズ群Ｇ３と、負の屈折力を有する第４レンズ群Ｇ４と、正の屈折力を
有する第５レンズ群Ｇ５とから構成される。
【０１０８】
第１レンズ群Ｇ１は、光軸に沿って物体側から順に並んだ、像側に凹面を向けた負メニ
スカスレンズＬ１１と両凸レンズＬ１２との接合レンズと、物体側に凸面を向けた正メニ
スカスレンズＬ１３とから構成される。
【０１０９】
第２レンズ群Ｇ２は、光軸に沿って物体側から順に並んだ、両凹レンズＬ２１と、両凹
レンズＬ２２と、物体側に凸面を向けた正メニスカスレンズＬ２３とから構成される。両
凹レンズＬ２１の像側面は、非球面である。
【０１１０】
第３レンズ群Ｇ３は、光軸に沿って物体側から順に並んだ、両凸レンズＬ３１と、両凸
レンズＬ３２と両凹レンズＬ３３との接合レンズと、両凸レンズＬ３４とから構成される
。両凸レンズＬ３１の両側面は、非球面である。
【０１１１】
第４レンズ群Ｇ４は、像側に凹面を向けた負メニスカスレンズＬ４１から構成される。
負メニスカスレンズＬ４１の像側面は、非球面である。
【０１１２】
第５レンズ群Ｇ５は、両凸レンズＬ５１から構成される。両凸レンズＬ５１の物体側面
は、非球面である。
【０１１３】
第３レンズ群Ｇ３の物体側には、光量を調節することを目的とした開口絞りＳが設けら
れている。
【０１１４】
第５レンズ群Ｇ５の像側には、フィルタＦＬが設けられている。フィルタＦＬは、像面
Ｉに配設されるＣＣＤ等、固体撮像素子の限界解像以上の空間周波数をカットするための
ローパスフィルタや赤外カットフィルタ等で構成されている。
【０１１５】
本実施例に係るズームレンズＺＬ４は、各レンズ群の間隔を変化させることにより変倍
を行う。具体的には、広角端状態から望遠端状態への変倍に際して、第１レンズ群Ｇ１を
物体側へ移動させ、第２レンズ群Ｇ２を像側へ移動させ、第３レンズ群Ｇ３を物体側へ移
動させ、第４レンズ群Ｇ４を物体側へ移動させ、第５レンズ群Ｇ５を像側へ移動させる。
開口絞りＳは、第３レンズ群Ｇ３と一体的に、物体側へ移動させる。
【０１１６】
下記の表４に、第４実施例における各諸元の値を示す。表４における面番号１〜２７が
、図７に示すｍ１〜ｍ２７の各光学面に対応している。
【０１１７】
（表４）
［レンズ諸元］
面番号      Ｒ          Ｄ        νｄ         ｎｄ
1      79.8804      2.0000      35.73      1.902650
2      35.0803      5.8000      81.73      1.497000
3    -301.4041      0.2000
4      32.5517      4.5000      65.44      1.603000
5     205.2803      (D5=可変)
6    -954.8817      1.2000      45.46      1.801390
＊7       8.5747      4.1517
8     -14.5792      1.0000      65.44      1.603000
9     100.0656      0.2000
10     25.8431      2.2000      17.98      1.945950
11    669.0937      (D11=可変)
12      0.0000      1.0000
＊13      8.8052      2.7000      55.48      1.696800
＊14    -35.0925      0.2000
15     21.5007      2.2000      81.73      1.497000
16    -39.3286      0.8000      35.25      1.910820
17      6.9715      0.5000
18      9.0203      2.4000      70.31      1.487490
19    -20.8115      (D19=可変)
20    109.9034      0.7000      81.49      1.497100
＊21     13.1034      (D21=可変)
＊22     66.8446      3.3000      63.86      1.618810
23    -22.9208      (D23=可変)
24      0.0000      0.4700      63.88      1.516800
25      0.0000      0.1500
26      0.0000      0.7000      63.88      1.516800
27      0.0000      (Bf)
［非球面データ］
第７面
κ =   1.1062
A4 =  -5.47187E-05
A6 =  -2.04034E-07
A8 =   0.00000E+00
第１３面
κ =   1.4224
A4 =  -1.69472E-04
A6 =  -1.46252E-06
A8 =  -1.40635E-08
第１４面
κ =   1.0000
A4 =   1.30671E-04
A6 =  -4.78933E-07
A8 =   3.42870E-08
第２１面
κ =   1.0000
A4 =   2.58575E-05
A6 =   6.46545E-07
A8 =  -4.56018E-08
第２２面
κ =   1.0000
A4 =  -4.97075E-05
A6 =   2.11919E-07
A8 =   0.00000E+00
［各種データ］
変倍比  11.90
広角          中間          望遠
f              9.05000      31.22000     107.63000
FNO            3.59          5.19          5.74
ω            42.13         13.87          4.15
D5             1.00020      17.94742      36.02206
D11           21.86565       8.23890       1.46641
D19            1.50034       8.23008       7.62385
D21           12.07988      15.43330      19.58032
D23            4.18090       2.97206       1.00695
Bf             1.28000       1.28000       1.28000
TL            78.27867      90.47346     103.35129
射出瞳位置     -82.58509    -973.07845     277.08493
G4像面移動係数  -1.18488      -1.42536      -1.80649
(無限遠合焦時)
［レンズ群データ］
群番号    群初面    群焦点距離
Ｇ１        １       58.57487
Ｇ２        ６       -9.29335
Ｇ３        13       13.91463
Ｇ４        20      -30.00000
Ｇ５        22       27.97540
［条件式対応値］
条件式（１）  ｆ５／ｄ４ｗ  ＝  2.316
条件式（２）  ＴＬｔ×ｆ３／（ｆｔ×ｆｔ）  ＝  0.124
条件式（３）  ｆｔ×ｆｔ／｛（−ｆ４）×ｄ３ｔ｝  ＝  50.649
条件式（４）  ωｔ  ＝  4.15
条件式（５）  ωｗ  ＝  42.13
【０１１８】
表４から、第４実施例に係るズームレンズＺＬ４は、条件式（１）〜（５）を満足する
ことが分かる。
【０１１９】
図８は、第４実施例に係るズームレンズＺＬ４の撮影距離無限遠の諸収差図（球面収差
図、非点収差図、歪曲収差図、コマ収差図及び倍率色収差図）であり、（ａ）は広角端状
態、（ｂ）は中間焦点距離状態、（ｃ）は望遠端状態をそれぞれ示す。
【０１２０】
図８に示す各収差図から明らかなように、第４実施例に係るズームレンズＺＬ４は、広
角端状態から望遠端状態に亘って諸収差が良好に補正され、優れた結像性能を有すること
が分かる。
【０１２１】
以上のような各実施例によれば、小型でありながら、射出瞳位置が像面から十分に遠く
、高い光学性能を有するズームレンズを提供することができる。
【０１２２】
ここまで本発明を分かりやすくするために、実施形態の構成要件を付して説明したが、
本発明がこれに限定されるものではないことは言うまでもない。以下の内容は、本願のズ
ームレンズの光学性能を損なわない範囲で適宜採用することが可能である。
【０１２３】
本実施形態に係るズームレンズＺＬの数値実施例として、５群構成のものを示したが、
これに限定されず、他の群構成（例えば、６群等）にも適用可能である。具体的には、最
も物体側にレンズまたはレンズ群を追加した構成や、最も像側にレンズまたはレンズ群を
追加した構成でも構わない。また、レンズ群とは、変倍時または合焦時に変化する空気間
隔で分離された、少なくとも１枚のレンズを有する部分を示す。
【０１２４】
本実施形態に係るズームレンズＺＬにおいて、無限遠から近距離物体への合焦を行うた
めに、第１レンズ群Ｇ１〜第５レンズ群Ｇ５のレンズ群の一部、１つのレンズ群全体、或
いは複数のレンズ群を合焦レンズ群として、光軸方向へ移動させる構成としてもよい。こ
の合焦レンズ群は、オートフォーカスにも適用することができ、オートフォーカス用の（
超音波モーター等を用いた）モーター駆動にも適している。特に、第４レンズ群Ｇ４を合
焦レンズ群とすることが好ましい。また、第４レンズ群Ｇ４と第５レンズ群Ｇ５とを同時
に光軸方向へ移動させることにより合焦を行うことも可能である。また、ズームレンズＺ
Ｌ全体を光軸方向へ移動させることにより合焦を行うことも可能である。
【０１２５】
本実施形態に係るズームレンズＺＬにおいて、第１レンズ群Ｇ１〜第５レンズ群Ｇ５の
いずれかのレンズ群全体、またはレンズ群中の一部を、光軸に垂直な方向の成分を持つよ
うに移動させるか、或いは光軸を含む面内方向に回転移動（揺動）させて、手ブレ等によ
って生じる像ブレを補正する防振レンズ群としてもよい。
【０１２６】
本実施形態に係るズームレンズＺＬにおいて、レンズ面は、球面または平面で形成され
ても、非球面で形成されても構わない。レンズ面が球面または平面の場合、レンズ加工お
よび組立調整が容易になり、加工および組立調整の誤差による光学性能の劣化を防げるの
で好ましい。また、像面がずれた場合でも描写性能の劣化が少ないので好ましい。レンズ
面が非球面の場合、非球面は、研削加工による非球面、ガラスを型で非球面形状に形成し
たガラスモールド非球面、ガラスの表面に樹脂を非球面形状に形成した複合型非球面のい
ずれの非球面でも構わない。また、レンズ面は回折面としてもよく、レンズを屈折率分布
型レンズ（ＧＲＩＮレンズ）あるいはプラスチックレンズとしてもよい。
【０１２７】
本実施形態に係るズームレンズＺＬにおいて、開口絞りＳは、第３レンズ群Ｇ３の近傍
に配置されるのが好ましいが、開口絞りとしての部材を設けずに、レンズの枠でその役割
を代用してもよい。
【０１２８】
本実施形態に係るズームレンズＺＬにおいて、各レンズ面に、フレアやゴーストを軽減
し高コントラストの高い光学性能を達成するために、広い波長域で高い透過率を有する反
射防止膜を施してもよい。
【符号の説明】
【０１２９】
ＺＬ（ＺＬ１〜ＺＬ４）  ズームレンズ
Ｇ１  第１レンズ群
Ｇ２  第２レンズ群
Ｇ３  第３レンズ群
Ｇ４  第４レンズ群
Ｇ５  第５レンズ群
Ｓ    開口絞り
ＦＬ  フィルタ
Ｉ    像面
ＣＡＭ  デジタルスチルカメラ（光学機器）
【図１】
2016156940.tif 000003
【図２】
2016156940.tif 000004
【図３】
2016156940.tif 000005
【図４】
2016156940.tif 000006
【図５】
2016156940.tif 000007
【図６】
2016156940.tif 000008
【図７】
2016156940.tif 000009
【図８】
2016156940.tif 000010
【図９】
2016156940.tif 000011
【図１０】
2016156940.tif 000012
【図１１】
2016156940.tif 000013